(57)【要約】【課題】僅かな情報からでも保険商品を特定することができる携帯端末向け保険商品検索装置などを提供する。【解決手段】保険会社名文字列と保険商品名文字列とを対応付けて記憶し、携帯端末から保険商品情報検索要求を受信した場合に、保険会社名検索窓と保険商品名検索窓とを表示するＷｅｂページを携帯端末に送信し、携帯端末から保険会社名文字列を受信した場合に保険商品名文字列を携帯端末に送信し、携帯端末から保険商品名構成文字列を受信した場合に保険商品名文字列を携帯端末に送信し、携帯端末から保険会社名文字列と保険商品名構成文字列とを受信した場合に保険商品名文字列を携帯端末に送信する携帯端末向け保険商品検索装置である。【選択図】図１
2011123591.tif 000002
【特許請求の範囲】
【請求項１】
記憶手段と送信手段とを備え、携帯端末にネットワークを介して接続される携帯端末向け保険商品検索装置であって、
前記記憶手段は、保険会社名文字列と保険商品名文字列とを対応付けて記憶し、
前記送信手段は、
前記携帯端末から保険商品情報検索要求を受信した場合に、保険会社名文字列が入力される保険会社名検索窓と保険商品名構成文字列が入力される保険商品名検索窓とを表示するＷｅｂページを前記携帯端末に送信し、
前記携帯端末から、前記Ｗｅｂページの保険会社名検索窓に入力された保険会社名文字列を受信した場合に、当該受信した保険会社名文字列に対応付けて記憶されている保険商品名文字列を前記記憶手段から取得して前記携帯端末に送信し、
前記携帯端末から、前記Ｗｅｂページの保険商品名検索窓に入力された保険商品名構成文字列を受信した場合に、当該受信した保険商品名構成文字列に一致するまたは当該受信した保険商品名構成文字列を含む保険商品名文字列を前記記憶手段から取得して前記携帯端末に送信し、
前記携帯端末から、前記Ｗｅｂページの保険会社名検索窓に入力された保険会社名文字列と前記Ｗｅｂページの保険商品名検索窓に入力された保険商品名構成文字列とを受信した場合に、当該受信した保険会社名文字列に対応付けて記憶されており且つ当該受信した保険商品名構成文字列に一致するまたは当該受信した保険商品名構成文字列を含む保険商品名文字列を前記記憶手段から取得して前記携帯端末に送信する、
ことを特徴とする携帯端末向け保険商品検索装置。
【請求項２】
記憶手段と送信手段とを備え、携帯端末にネットワークを介して接続される携帯端末向け保険商品検索装置であって、
前記記憶手段は、保険会社名文字列と保険商品名文字列と保険カテゴリー名文字列とを対応付けて記憶し、
前記送信手段は、
前記携帯端末から保険商品情報検索要求を受信した場合に、保険会社名文字列が入力される保険会社名検索窓と保険商品名構成文字列が入力される保険商品名検索窓と保険カテゴリー名文字列が入力される保険カテゴリー名検索窓とを表示するＷｅｂページを前記携帯端末に送信し、
前記携帯端末から、前記Ｗｅｂページの保険会社名検索窓に入力された保険会社名文字列を受信した場合に、当該受信した保険会社名文字列に対応付けて記憶されている保険商品名文字列を前記記憶手段から取得して前記携帯端末に送信し、
前記携帯端末から、前記Ｗｅｂページの保険商品名検索窓に入力された保険商品名構成文字列を受信した場合に、当該受信した保険商品名構成文字列に一致するまたは当該受信した保険商品名構成文字列を含む保険商品名文字列を前記記憶手段から取得して前記携帯端末に送信し、
前記携帯端末から、前記Ｗｅｂページの保険カテゴリー名検索窓に入力された保険カテゴリー名文字列を受信した場合に、当該受信した保険カテゴリー名文字列に対応付けて記憶されている保険商品名文字列を前記記憶手段から取得して前記携帯端末に送信し、
前記携帯端末から、前記Ｗｅｂページの保険会社名検索窓に入力された保険会社名文字列と前記Ｗｅｂページの保険商品名検索窓に入力された保険商品名構成文字列とを受信した場合に、当該受信した保険会社名文字列に対応付けて記憶されており且つ当該受信した保険商品名構成文字列に一致するまたは当該受信した保険商品名構成文字列を含む保険商品名文字列を前記記憶手段から取得して前記携帯端末に送信し、
前記携帯端末から、前記Ｗｅｂページの保険会社名検索窓に入力された保険会社名文字列と前記Ｗｅｂページの保険カテゴリー名検索窓に入力された保険カテゴリー名文字列とを受信した場合に、当該受信した保険会社名文字列に対応付けて記憶されており且つ当該受信した保険カテゴリー名文字列に対応付けて記憶されている保険商品名文字列を前記記憶手段から取得して前記携帯端末に送信し、
前記携帯端末から、前記Ｗｅｂページの保険商品名検索窓に入力された保険商品名構成文字列と前記Ｗｅｂページの保険カテゴリー名検索窓に入力された保険カテゴリー名文字列とを受信した場合に、当該受信した保険商品名構成文字列に一致しまたは当該受信した保険商品名構成文字列を含み且つ当該受信した保険カテゴリー名文字列に対応付けて記憶されている保険商品名文字列を前記記憶手段から取得して前記携帯端末に送信し、
前記携帯端末から、前記Ｗｅｂページの保険会社名検索窓に入力された保険会社名文字列と前記Ｗｅｂページの保険商品名検索窓に入力された保険商品名構成文字列と前記Ｗｅｂページの保険カテゴリー名検索窓に入力された保険カテゴリー名文字列とを受信した場合に、当該受信した保険会社名文字列に対応付けて記憶されており、当該受信した保険商品名構成文字列に一致しまたは当該受信した保険商品名構成文字列を含み、且つ当該受信した保険カテゴリー名文字列に対応付けて記憶されている保険商品名文字列を前記記憶手段から取得して前記携帯端末に送信する、
ことを特徴とする携帯端末向け保険商品検索装置。
【請求項３】
前記記憶手段は、さらに、前記保険商品名文字列により示される保険商品の情報を記憶し、
前記送信手段は、さらに、前記携帯端末に送信した保険商品名文字列により示される保険商品についての保険商品情報要求を前記携帯端末から受信した場合に、当該保険商品名文字列により示される保険商品の情報を前記記憶手段から取得して前記携帯端末に送信する、
ことを特徴とする請求項１または請求項２に記載の携帯端末向け保険商品検索装置。
【請求項４】
請求項１〜請求項３のいずれか１項に記載の携帯端末向け保険商品検索装置と、携帯端末と、がネットワークを介して接続される携帯端末向け保険商品検索システム。
【発明の詳細な説明】
【技術分野】
【０００１】
本発明は、携帯端末を用いた保険商品の検索に関する。
【背景技術】
【０００２】
保険商品の営業活動においては、見込客の実情を分析し、その見込客に適した保険の設計を行う必要がある。また、見込客に適した保険の設計を行うためには、自社の保険商品の内容のみならず、他社の保険商品の内容についても、的確に理解しておく必要がある。
【０００３】
そこで、従来、保険商品の営業活動を行う者は、営業活動を行うに当たり、他社の保険商品の情報を、コンピュータネットワークを利用した保険情報提供サービスなどから入手していた（特許文献１参照）。
【先行技術文献】
【特許文献】
【０００４】
【特許文献１】特開２００１−３３１６５２号公報
【発明の概要】
【発明が解決しようとする課題】
【０００５】
しかるところ、他社の保険商品に関する多くの情報を見込客から直接に聞き出すことは容易ではない。したがって、保険商品の営業活動を行う者は、見込客との会話の中から得られる僅かな情報を頼りにして他社の保険商品を特定し、その商品に関するより多くの情報を入手しなければならない。
【０００６】
しかしながら、従来の保険情報提供サービスでは、多数の情報を用いなければ他社の保険商品を特定していくことが困難であったため、保険商品の営業活動を行う者は、結局のところ、他社のどのような保険商品に見込客が興味を抱いているのか、また、他社のどのような保険商品に見込客が既に加入をしているのか、などを特定することができなかった。
【０００７】
そこで、本発明は、僅かな情報からでも保険商品を特定することができる携帯端末向け保険商品検索装置及び携帯端末向け保険商品検索システムを提供することを目的とする。
【課題を解決するための手段】
【０００８】
本発明によれば、上記課題は、次の手段により解決される。
【０００９】
本発明は、記憶手段と送信手段とを備え、携帯端末にネットワークを介して接続される携帯端末向け保険商品検索装置であって、前記記憶手段は、保険会社名文字列と保険商品名文字列とを対応付けて記憶し、前記送信手段は、前記携帯端末から保険商品情報検索要求を受信した場合に、保険会社名文字列が入力される保険会社名検索窓と保険商品名構成文字列が入力される保険商品名検索窓とを表示するＷｅｂページを前記携帯端末に送信し、前記携帯端末から、前記Ｗｅｂページの保険会社名検索窓に入力された保険会社名文字列を受信した場合に、当該受信した保険会社名文字列に対応付けて記憶されている保険商品名文字列を前記記憶手段から取得して前記携帯端末に送信し、前記携帯端末から、前記Ｗｅｂページの保険商品名検索窓に入力された保険商品名構成文字列を受信した場合に、当該受信した保険商品名構成文字列に一致するまたは当該受信した保険商品名構成文字列を含む保険商品名文字列を前記記憶手段から取得して前記携帯端末に送信し、前記携帯端末から、前記Ｗｅｂページの保険会社名検索窓に入力された保険会社名文字列と前記Ｗｅｂページの保険商品名検索窓に入力された保険商品名構成文字列とを受信した場合に、当該受信した保険会社名文字列に対応付けて記憶されており且つ当該受信した保険商品名構成文字列に一致するまたは当該受信した保険商品名構成文字列を含む保険商品名文字列を前記記憶手段から取得して前記携帯端末に送信する、ことを特徴とする携帯端末向け保険商品検索装置である。
【００１０】
また、本発明は、記憶手段と送信手段とを備え、携帯端末にネットワークを介して接続される携帯端末向け保険商品検索装置であって、前記記憶手段は、保険会社名文字列と保険商品名文字列と保険カテゴリー名文字列とを対応付けて記憶し、前記送信手段は、前記携帯端末から保険商品情報検索要求を受信した場合に、保険会社名文字列が入力される保険会社名検索窓と保険商品名構成文字列が入力される保険商品名検索窓と保険カテゴリー名文字列が入力される保険カテゴリー名検索窓とを表示するＷｅｂページを前記携帯端末に送信し、前記携帯端末から、前記Ｗｅｂページの保険会社名検索窓に入力された保険会社名文字列を受信した場合に、当該受信した保険会社名文字列に対応付けて記憶されている保険商品名文字列を前記記憶手段から取得して前記携帯端末に送信し、前記携帯端末から、前記Ｗｅｂページの保険商品名検索窓に入力された保険商品名構成文字列を受信した場合に、当該受信した保険商品名構成文字列に一致するまたは当該受信した保険商品名構成文字列を含む保険商品名文字列を前記記憶手段から取得して前記携帯端末に送信し、前記携帯端末から、前記Ｗｅｂページの保険カテゴリー名検索窓に入力された保険カテゴリー名文字列を受信した場合に、当該受信した保険カテゴリー名文字列に対応付けて記憶されている保険商品名文字列を前記記憶手段から取得して前記携帯端末に送信し、前記携帯端末から、前記Ｗｅｂページの保険会社名検索窓に入力された保険会社名文字列と前記Ｗｅｂページの保険商品名検索窓に入力された保険商品名構成文字列とを受信した場合に、当該受信した保険会社名文字列に対応付けて記憶されており且つ当該受信した保険商品名構成文字列に一致するまたは当該受信した保険商品名構成文字列を含む保険商品名文字列を前記記憶手段から取得して前記携帯端末に送信し、前記携帯端末から、前記Ｗｅｂページの保険会社名検索窓に入力された保険会社名文字列と前記Ｗｅｂページの保険カテゴリー名検索窓に入力された保険カテゴリー名文字列とを受信した場合に、当該受信した保険会社名文字列に対応付けて記憶されており且つ当該受信した保険カテゴリー名文字列に対応付けて記憶されている保険商品名文字列を前記記憶手段から取得して前記携帯端末に送信し、前記携帯端末から、前記Ｗｅｂページの保険商品名検索窓に入力された保険商品名構成文字列と前記Ｗｅｂページの保険カテゴリー名検索窓に入力された保険カテゴリー名文字列とを受信した場合に、当該受信した保険商品名構成文字列に一致しまたは当該受信した保険商品名構成文字列を含み且つ当該受信した保険カテゴリー名文字列に対応付けて記憶されている保険商品名文字列を前記記憶手段から取得して前記携帯端末に送信し、前記携帯端末から、前記Ｗｅｂページの保険会社名検索窓に入力された保険会社名文字列と前記Ｗｅｂページの保険商品名検索窓に入力された保険商品名構成文字列と前記Ｗｅｂページの保険カテゴリー名検索窓に入力された保険カテゴリー名文字列とを受信した場合に、当該受信した保険会社名文字列に対応付けて記憶されており、当該受信した保険商品名構成文字列に一致しまたは当該受信した保険商品名構成文字列を含み、且つ当該受信した保険カテゴリー名文字列に対応付けて記憶されている保険商品名文字列を前記記憶手段から取得して前記携帯端末に送信する、ことを特徴とする携帯端末向け保険商品検索装置である。
【００１１】
また、本発明は、前記記憶手段は、さらに、前記保険商品名文字列により示される保険商品の情報を記憶し、前記送信手段は、さらに、前記携帯端末に送信した保険商品名文字列により示される保険商品についての保険商品情報要求を前記携帯端末から受信した場合に、当該保険商品名文字列により示される保険商品の情報を前記記憶手段から取得して前記携帯端末に送信する、ことを特徴とする上記の携帯端末向け保険商品検索装置である。
【００１２】
また、本発明は、上記の携帯端末向け保険商品検索装置と、携帯端末と、がネットワークを介して接続される携帯端末向け保険商品検索システムである。
【００１３】
なお、本発明において、保険商品名構成文字列とは、保険商品名文字列を構成する文字列の一部又は全部の文字列をいう。
【発明の効果】
【００１４】
本発明によれば、僅かな情報からでも保険商品を特定することができる携帯端末向け保険商品検索装置及び携帯端末向け保険商品検索システムを提供することができる。
【図面の簡単な説明】
【００１５】
【図１】本発明の実施形態に係る携帯端末向け保険商品検索システムの概略構成図である。
【発明を実施するための形態】
【００１６】
以下に、添付した図面を参照しつつ、本発明を実施するための形態を詳細に説明する。
【００１７】
図１は、本発明の実施形態に係る携帯端末向け保険商品検索システムの概略構成図である。
【００１８】
図１に示すように、本発明の実施形態に係る携帯端末向け保険商品検索システム１は、携帯端末１０と携帯端末向け保険商品検索装置２０とを備えている。携帯端末１０と携帯端末向け保険商品検索装置２０とは、ネットワーク３０（基地局３１を含む）を介して接続されている。
【００１９】
［携帯端末１０］
携帯端末１０は、たとえば、携帯電話やＰＤＡ（Ｐｅｒｓｏｎａｌ  Ｄｉｇｉｔａｌ  Ａｓｓｉｓｔａｎｔ）などにより構成される。
【００２０】
［携帯端末向け保険商品検索装置２０］
携帯端末向け保険商品検索装置２０は、記憶手段２１と送信手段２２とを備えている。
【００２１】
（記憶手段２１）
記憶手段２１は、保険会社名文字列と保険商品名文字列とを対応付けて記憶する。なお、記憶手段２１は、たとえば、ハードディスクなどのストレージデバイスにより構成される。
【００２２】
（送信手段２２）
送信手段２２は、携帯端末１０から保険商品情報検索要求を受信した場合に、保険会社名文字列が入力される保険会社名検索窓と保険商品名構成文字列が入力される保険商品名検索窓とを表示するＷｅｂページを携帯端末１０に送信する。
【００２３】
また、送信手段２２は、携帯端末１０から、Ｗｅｂページの保険会社名検索窓に入力された保険会社名文字列を受信した場合に、当該受信した保険会社名文字列に対応付けて記憶されている保険商品名文字列を記憶手段２１から取得して携帯端末１０に送信する。
【００２４】
また、送信手段２２は、携帯端末１０から、Ｗｅｂページの保険商品名検索窓に入力された保険商品名構成文字列を受信した場合に、当該受信した保険商品名構成文字列に一致するまたは当該受信した保険商品名構成文字列を含む保険商品名文字列を記憶手段２１から取得して携帯端末１０に送信する。
【００２５】
また、送信手段２２は、携帯端末１０から、Ｗｅｂページの保険会社名検索窓に入力された保険会社名文字列とＷｅｂページの保険商品名検索窓に入力された保険商品名構成文字列とを受信した場合に、当該受信した保険会社名文字列に対応付けて記憶されており且つ当該受信した保険商品名構成文字列に一致するまたは当該受信した保険商品名構成文字列を含む保険商品名文字列を記憶手段２１から取得して携帯端末１０に送信する。
【００２６】
このように、本発明の実施形態に係る携帯端末向け保険商品検索システム１によれば、保険会社名と保険商品名という切り口が、保険商品の営業活動を行う者に対して提示される。
【００２７】
したがって、保険商品の営業活動を行う者は、たとえ他社の保険商品に関して僅かな情報しか得られない場合（たとえば他社の保険商品に関して、保険会社名、保険商品名、又は保険商品名の一部しか得られない場合）であっても、当該提示された保険会社名や保険商品名という切り口から保険商品を検索していくことによって、他社の保険商品に関する僅かな情報をより多くの情報へと結びつけることができる。
【００２８】
よって、本発明の実施形態に係る携帯端末向け保険商品検索システム１によれば、僅かな情報からでも他社の保険商品を特定していくことができ、他社のどのような保険商品に見込客が興味を抱いているのか、また、他社のどのような保険商品に見込客が既に加入をしているのか、などを容易に特定できるようになる。
【００２９】
なお、携帯端末向け保険商品検索装置２０が備える記憶手段２１及び送信手段２２は、次のように構成することもできる。
【００３０】
（記憶手段２１）
記憶手段２１は、保険会社名文字列と保険商品名文字列と保険カテゴリー名文字列とを対応付けて記憶する。
【００３１】
（送信手段２２）
送信手段２２は、携帯端末１０から保険商品情報検索要求を受信した場合に、保険会社名文字列が入力される保険会社名検索窓と保険商品名構成文字列が入力される保険商品名検索窓と保険カテゴリー名文字列が入力される保険カテゴリー名検索窓とを表示するＷｅｂページを携帯端末１０に送信する。
【００３２】
また、送信手段２２は、携帯端末１０から、Ｗｅｂページの保険会社名検索窓に入力された保険会社名文字列を受信した場合に、当該受信した保険会社名文字列に対応付けて記憶されている保険商品名文字列を記憶手段２１から取得して携帯端末１０に送信する。
【００３３】
また、送信手段２２は、携帯端末１０から、Ｗｅｂページの保険商品名検索窓に入力された保険商品名構成文字列を受信した場合に、当該受信した保険商品名構成文字列に一致するまたは当該受信した保険商品名構成文字列を含む保険商品名文字列を記憶手段２１から取得して携帯端末１０に送信する。
【００３４】
また、送信手段２２は、携帯端末１０から、Ｗｅｂページの保険カテゴリー名検索窓に入力された保険カテゴリー名文字列を受信した場合に、当該受信した保険カテゴリー名文字列に対応付けて記憶されている保険商品名文字列を記憶手段２１から取得して携帯端末１０に送信する。
【００３５】
また、送信手段２２は、携帯端末１０から、Ｗｅｂページの保険会社名検索窓に入力された保険会社名文字列とＷｅｂページの保険商品名検索窓に入力された保険商品名構成文字列とを受信した場合に、当該受信した保険会社名文字列に対応付けて記憶されており且つ当該受信した保険商品名構成文字列に一致するまたは当該受信した保険商品名構成文字列を含む保険商品名文字列を記憶手段２１から取得して携帯端末１０に送信する。
【００３６】
また、送信手段２２は、携帯端末１０から、Ｗｅｂページの保険会社名検索窓に入力された保険会社名文字列とＷｅｂページの保険カテゴリー名検索窓に入力された保険カテゴリー名文字列とを受信した場合に、当該受信した保険会社名文字列に対応付けて記憶されており且つ当該受信した保険カテゴリー名文字列に対応付けて記憶されている保険商品名文字列を記憶手段２１から取得して携帯端末１０に送信する。
【００３７】
また、送信手段２２は、携帯端末１０から、Ｗｅｂページの保険商品名検索窓に入力された保険商品名構成文字列とＷｅｂページの保険カテゴリー名検索窓に入力された保険カテゴリー名文字列とを受信した場合に、当該受信した保険商品名構成文字列に一致しまたは当該受信した保険商品名構成文字列を含み且つ当該受信した保険カテゴリー名文字列に対応付けて記憶されている保険商品名文字列を記憶手段２１から取得して携帯端末１０に送信する。
【００３８】
また、送信手段２２は、携帯端末１０から、Ｗｅｂページの保険会社名検索窓に入力された保険会社名文字列とＷｅｂページの保険商品名検索窓に入力された保険商品名構成文字列とＷｅｂページの保険カテゴリー名検索窓に入力された保険カテゴリー名文字列とを受信した場合に、当該受信した保険会社名文字列に対応付けて記憶されており、当該受信した保険商品名構成文字列に一致しまたは当該受信した保険商品名構成文字列を含み、且つ当該受信した保険カテゴリー名文字列に対応付けて記憶されている保険商品名文字列を記憶手段２１から取得して携帯端末１０に送信する。
【００３９】
このように記憶手段２１及び送信手段２２を構成すれば、保険会社名と保険商品名という切り口に加えて、さらに、保険カテゴリー名という切り口が、保険商品の営業活動を行う者に対して提示される。
【００４０】
したがって、保険商品の営業活動を行う者は、たとえ他社の保険商品に関して僅かな情報しか得られない場合（たとえば他社の保険商品に関して、保険会社名、保険商品名、保険商品名の一部、又は保険カテゴリー名しか得られない場合）であっても、当該提示された保険会社名や保険商品名や保険カテゴリー名という切り口から保険商品を検索していくことによって、他社の保険商品に関する僅かな情報をより多くの明確な情報へと結びつけることができる。
【００４１】
よって、上記のように記憶手段２１及び送信手段２２を構成すれば、僅かな情報からでも他社の保険商品を特定していくことができ、他社のどのような保険商品に見込客が興味を抱いているのか、また、他社のどのような保険商品に見込客が既に加入をしているのか、などをより一層容易に把握できるようになる。
【００４２】
なお、携帯端末向け保険商品検索装置２０が備える記憶手段２１及び送信手段２２は、さらに次のように構成することもできる。
【００４３】
（記憶手段２１）
記憶手段２１は、さらに、保険商品名文字列により示される保険商品の情報を記憶する。
【００４４】
（送信手段２２）
送信手段２２は、さらに、携帯端末１０に送信した保険商品名文字列により示される保険商品についての保険商品情報要求を携帯端末１０から受信した場合に、当該保険商品名文字列により示される保険商品の情報を記憶手段２１から取得して携帯端末１０に送信する。
【００４５】
このように記憶手段２１及び送信手段２２を構成すれば、僅かな情報から他社の保険商品を特定した際に、直ちに、当該特定した保険商品に関する情報を入手することが可能となるため、他社のどのような保険商品に見込客が興味を抱いているのか、また、他社のどのような保険商品に見込客が既に加入をしているのか、などをより一層容易に把握できるようになる。
【００４６】
以上、本発明の実施形態について説明したが、これらの説明は、本発明の一例に関するものであり、本発明は、これらの説明によって何ら限定されるものではない。
【符号の説明】
【００４７】
１    携帯端末向け保険商品検索システム
１０    携帯端末
２０    携帯端末向け保険商品検索装置
２１    記憶手段
２２    送信手段
３０    ネットワーク
３１    基地局
【図１】
2011123591.tif 000003